(57)【要約】【課題】ドリル針検査照明補助装置の提供。【解決手段】一種のドリル針検査照明補助装置で、光源を下に向けて投光してドリル針のドリル尖端を照明し、光学撮影検査にドリル尖端の第１面刃及び第２面の映像を提供する。照明補助装置には１つのパネルが含まれ、パネルには通し穴が設置されていてドリル針のドリル尖端を下から上に向かって通すのに提供される。パネルには光を通さない頂面が設置されて光源に面しており、パネル頂面とドリル針のドリル尖端との両者間の高度差は３mmより小さく、パネル頂面及び通し穴でドリル尖端映像の背景面となっている。しかも反射光線はドリル尖端の第２面を照射して、ドリル尖端の第１面刃及び第２面の映像を更にはっきり精確にさせている。【選択図】図４
0003134540.tif 000002
【実用新案登録請求の範囲】
【請求項１】
光源でドリル針のドリル尖端を下に向けて投光照明し、光学撮影検査にドリル尖端の映像を供給し、当該照明補助装置には、パネルが含まれ、当該パネルには通し穴があけられて、ドリル針のドリル尖端を下から上に差込むのに提供され、当該パネルは光を通さない頂面が光源に面していて当該パネル頂面とドリル針のドリル尖端両者間の高度さを３mm以下にして、当該パネル頂面及び通し穴をドリル尖端映像の背景面として、当該光源がドリル尖端を照明する補助になっていることを特徴とするドリル針検査照明補助装置。
【請求項２】
当該パネルの頂面とドリル針のドリル尖端は相互に平行であることを特徴とする請求項１記載のドリル針検査照明補助装置。
【請求項３】
当該パネルの頂面はドリル針のドリル尖端高度より１.５ｍｍ高い距離範囲内にあることを特徴とする請求項１記載のドリル針検査照明補助装置。
【請求項４】
当該パネルの頂面はドリル針のドリル尖端高度より１.５ｍｍ低い距離範囲内にあることを特徴とする請求項１記載のドリル針検査照明補助装置。
【請求項５】
水平台座、材料台座及び材料ボックスを含み、
該水平台座が含まれ、四方には位置を固定する多数のガイド柱が設置されている、
該材料台座が含まれ、四方には多数ガイド柱に相対して嵌め込む多数のガイド穴が設置され、当該台座の頂面には一つ以上の凹型材料入れエリアが設置され、その底面は当該水平台座の頂面に置かれ、
一つ以上の材料ボックスが含まれ、当該材料台座の凹型材料入れエリア上に置かれ、当該材料ボックスは多数の穴を有し、多数のドリル針を設置するのに提供され、
当該パネルの四方には多数ガイド柱に相対して嵌め込む多数のガイド穴が設置され、当該パネルには多数の通し穴が設置されていて、下に向かって多数のドリル針を差込むのに提供されていることを特徴とする請求項１記載のドリル針検査照明補助装置。
【請求項６】
当該パネルに相対する上下板体とし、それぞれ上下に相対する多数の固定穴及びネジ穴が設置され、
多数バネが当該上下板体の間に位置し、
多数の調整ネジは当該上板体の固定穴から下に向かって当該下板体のネジ穴に締められて、当該上下板体の相互間隔距離を調整していることを特徴とする請求項５記載のドリル針検査照明補助装置。
【請求項７】
多数ネジ穴を有した底部転送台座が含まれ、
当該水平台座には相対する固定穴が設置され、
多数のバネが当該水平台座と転送台座の間に位置し、
多数の調整ネジが当該水平台座の固定穴から下に向かって当該転送台座のネジ穴に締められて、当該水平台座の水平状態を調整していることを特徴とする請求項５記載のドリル針検査照明補助装置。
【請求項８】
当該パネルの通し穴底部には拡大階段穴が設置され、バネが設置され、
当該ドリルの中段には１つの頚部があり、当該バネの底部で固定されることを特徴とする請求項第１項或いは第５項記載のドリル針検査照明補助装置。
【考案の詳細な説明】
【技術分野】
【０００１】
本考案は一種のドリル針検査照明補助装置で、特に一種の印刷電気回路板のドリル針検査映像作業に専門的に提供して使用する照明補助装置を指す。
【背景技術】
【０００２】
一般の印刷電気回路板の穴あけ加工の優劣は主にドリル尖端面の精確度によっている。従って、現段階での産業技術上、通常ドリル針のドリル尖端面に対して自動化された光学検査を行い、第１面刃及び第２面映像を取得し、コンピュータによって判断することで、ドリル針の穴あけ加工品質を確保している。
【０００３】
現在、ドリル針に対して映像検査作業を行う場合、ドリル針はクランプ或いは治具で直立に光学検査設備のプラットホーム上に設置され、同時に光源は上から下に向けてドリル針のドリル尖端を照明し、電子顕微鏡撮影装置のドリル尖端映像取得に供し、更にコンピュータ或いは作業人員によって判断されている。
【０００４】
しかし、このドリル針のドリル尖端はある程度の長さで上に突出し、ドリル尖端外周の相当する高さ位置に適切な背景面がなく、また適切なドリル尖端を照明する補助照明もないため、ドリル尖端の検査映像の品質が理想的でなく、改善する必要があった。
【考案の開示】
【考案が解決しようとする課題】
【０００５】
本考案の目的は一種のドリル針検査照明補助装置を提供することで、主にパネル頂面高度及びドリル針のドリル尖端に配した通し穴で背景面とし、更に反射光でドリル尖端の第２面を照明して、ドリル尖端の第１面刃及び第２面の映像を更にはっきり精確にさせるもので、産業上での利用価値を有している。
【０００６】
上述の目標を達成させるため、本考案のドリル針検査照明補助装置は１つのパネルを含み、当該パネルには通し穴が設置され、ドリル針を下から上に差込むのに供されている。当該パネルには光を通さないパネル頂面が当該光源に面しており、当該パネル頂面とドリル針のドリル尖端両者間の高度差を３mm以下とし、当該パネル頂面及び通し穴をドリル尖端映像の背景面として、当該光源がドリル尖端を照明する補助として供している。
【０００７】
好ましい実施例では、当該パネルの頂面は最良形態でドリル針のドリル尖端と相互に平行、或いは当該パネル頂面をドリル針のドリル尖端に接近させている。
【０００８】
好ましい実施例では、更に１つの四方に位置固定の多数ガイド柱が設置されている水平台座、１つの四方の多数ガイド柱に相対して嵌め込まれる多数ガイド穴を有した材料台座、当該材料台座の頂面には一つ以上の凹型材料入れエリアが設置され、その底面は当該水平台座頂面に放置される、及び一つ以上の当該材料台座の凹型材料入れエリア上に設置される材料ボックス、当該材料ボックスには多数の穴が開けられ多数のドリル針位置に供されるが含まれ、当該パネル四方には多数ガイド柱に相対して嵌め込まれる多数ガイド穴が設置され、当該パネルには下に向けて多数ドリル針位置決め設置に供される多数の通し穴があけられている。
【課題を解決するための手段】
【０００９】
請求項１の考案は、光源でドリル針のドリル尖端を下に向けて投光照明し、光学撮影検査にドリル尖端の映像を供給し、当該照明補助装置には、パネルが含まれ、当該パネルには通し穴があけられて、ドリル針のドリル尖端を下から上に差込むのに提供され、当該パネルは光を通さない頂面が光源に面していて当該パネル頂面とドリル針のドリル尖端両者間の高度さを３mm以下にして、当該パネル頂面及び通し穴をドリル尖端映像の背景面として、当該光源がドリル尖端を照明する補助になっていることを特徴とするドリル針検査照明補助装置としている。
請求項２の考案は、当該パネルの頂面とドリル針のドリル尖端は相互に平行であることを特徴とする請求項１記載のドリル針検査照明補助装置としている。
請求項３の考案は、当該パネルの頂面はドリル針のドリル尖端高度より１.５ｍｍ高い距離範囲内にあることを特徴とする請求項１記載のドリル針検査照明補助装置としている。
請求項４の考案は、当該パネルの頂面はドリル針のドリル尖端高度より１.５ｍｍ低い距離範囲内にあることを特徴とする請求項１記載のドリル針検査照明補助装置としている。
請求項５の水平台座、材料台座及び材料ボックスを含み、
該水平台座が含まれ、四方には位置を固定する多数のガイド柱が設置されている、
該材料台座が含まれ、四方には多数ガイド柱に相対して嵌め込む多数のガイド穴が設置され、当該台座の頂面には一つ以上の凹型材料入れエリアが設置され、その底面は当該水平台座の頂面に置かれ、
一つ以上の材料ボックスが含まれ、当該材料台座の凹型材料入れエリア上に置かれ、当該材料ボックスは多数の穴を有し、多数のドリル針を設置するのに提供され、
当該パネルの四方には多数ガイド柱に相対して嵌め込む多数のガイド穴が設置され、当該パネルには多数の通し穴が設置されていて、下に向かって多数のドリル針を差込むのに提供されていることを特徴とする請求項１記載のドリル針検査照明補助装置としている。
請求項６の考案は、当該パネルに相対する上下板体とし、それぞれ上下に相対する多数の固定穴及びネジ穴が設置され、
多数バネが当該上下板体の間に位置し、
多数の調整ネジは当該上板体の固定穴から下に向かって当該下板体のネジ穴に締められて、当該上下板体の相互間隔距離を調整していることを特徴とする請求項５記載のドリル針検査照明補助装置としている。
請求項７の考案は、多数ネジ穴を有した底部転送台座が含まれ、
当該水平台座には相対する固定穴が設置され、
多数のバネが当該水平台座と転送台座の間に位置し、
多数の調整ネジが当該水平台座の固定穴から下に向かって当該転送台座のネジ穴に締められて、当該水平台座の水平状態を調整していることを特徴とする請求項５記載のドリル針検査照明補助装置としている。
請求項８の考案は、当該パネルの通し穴底部には拡大階段穴が設置され、バネが設置され、
当該ドリルの中段には１つの頚部があり、当該バネの底部で固定されることを特徴とする請求項第１項或いは第５項記載のドリル針検査照明補助装置としている。
【考案の効果】
【００１０】
本考案はドリル針検査照明補助装置を提供し、パネル頂面高度及びドリル針のドリル尖端に配した通し穴で背景面とし、更に反射光でドリル尖端の第２面を照明して、ドリル尖端の第１面刃及び第２面の映像を更にはっきり精確にさせるもので、産業上での利用価値を有している。
【考案を実施するための最良の形態】
【００１１】
本考案が上述目的を達成するために採取した技術手段及びその効果に関して、行った実施例を列挙し且つ図説を配して以下に説明する。
【００１２】
本考案はドリル針の検査を行う補助照明で、図１及び図２に示すように、印刷電気回路板の穴あけ用ドリル針（４０）を定位置に直立に配列させて差込み、或いは一般のクランプで挟んで位置を維持し、光学検査設備（図に未提示）の光源で下向けにドリル針（４０）のドリル尖端（４１）を投光照明して、電子顕微鏡撮影装置のドリル尖端（４１）の第１面刃及び第２面の映像取得に供し判読するものである。本実施例の照明補助装置には一つ以上のパネル（５０）が含まれ、当該パネル（５０）は光学検査設備の定位置使用に直接配する以外、更に順序に従って１つの水平プラットホーム台座（１０）、１つの材料台座（２０）及び１つの材料ボックス（３０）を配することができ、多数ドリル針（４０）を材料ボックス（３０）上に直立に配列差込むことができる。
【００１３】
図１より図４に示す好ましい実施例中、照明補助装置のパネル（５０）には多数の通し穴（５３）が設置され、ドリル針（４０）のドリル尖端（４１）を下から上に差込むのに供されている。当該パネル（５０）には１つの光を通さないパネル頂面（５１）が当該光源に面していて、当該パネル（５０）の頂面（５１）高度とドリル針（４０）のドリル尖端（４１）の両者間の高度差を３ｍｍ以下或いは２.５ｍｍにして、ドリル尖端映像の背景面としている。更に当該頂面（５１）及び通し穴（５３）内縁の反射光線でドリル尖端（４１）第２面を照射して、ドリル尖端（４１）の第１面刃及び第２面映像を更にはっきり精確にさせている（図１４に示すドリル先端検査映像図を参照してください）。
【００１４】
本実施例のパネル（５０）はアルミ板を採用でき、頂面（５１）及び通し穴（５３）内縁は陽極処理した黒色表面で、強烈な反射光を避け、当該光源が適度にドリル尖端（４１）を照明できるようにしている。図５に示すように、当該パネル（５０）頂面（５１）の最良の実施方法はドリル針（４０）のドリル尖端（４１）と相互平行である。また第６、７図に示すように、当該パネル（５０）の頂面（５１）はドリル針（４０）のドリル尖端（４１）より１.５ｍｍ高い或いは低い距離範囲内にして、ドリル尖端（４１）の検査画像を更にはっきり精確にしている。
【００１５】
図１より図４に示す水平台座（１０）四方位置に多数のガイド柱（１１）が固定され、当該材料台座（２０）四方には多数ガイド柱（１１）に相対して嵌め込まれる多数のガイド穴（２２）のガイド（２１）が設置され、当該材料台座（２０）頂面には一つ以上の或いは多数の凹型材料入れエリア（２３）が設置され、その底面は水平台座（１０）の頂面に置かれ、両側には作業人員が指で挟み持つことができるように長い溝口（２４）が設置されている。一つ以上の或いは多数の材料ボックス（３０）は当該材料台座（２０）の凹型材料入れエリア（２３）上に置かれ、当該材料ボックス（３０）には多数の穴（３１）があけられ、多数ドリル針（４０）を直立配列するのに供されている。当該パネル（５０）の四方には多数ガイド柱（１１）に相対するガイド穴（５２）が設置され、当該パネル（５０）の通し穴（５３）でドリル針（４０）を下に向けて差込むようにしている。
【００１６】
好ましい実施例中には、多数のネジ穴（６３）を有する底部転送台座（６０）が含まれ、当該水平台座（１０）には相対する固定穴（１３）が設置され、多数のバネ（６５）は当該水平台座（１０）と転送台座（６０）と相対する凹穴（１４）、（６４）の間に位置し、多数の調整ネジ（１２）は当該水平台座（１０）の固定穴（１３）より下に向けて当該転送台座（６０）のネジ穴（６３）に締められ、当該水平台座（１０）の水平状態を調整している。同時に当該転送台座（６０）には多数の固定穴（６１）が設置されて、固定ネジ（６２）が関連する台座上に差込み締められるようにしている。
【００１７】
本実施例のパネル（５０）の多数通し穴（５３）底部にはそれぞれ１つの拡大階段穴（５４）（図５参照）が設置され、その内部先端階段部で下向きに多数ドリル針（４０）中段の錐状頚部（４２）を押さえつけ、多数ドリル針（４０）を確実に位置付けしている。このほか、図８で、当該パネル（５０）の拡大階段穴（５４）には１つのバネ（５５）が位置決め設置でき、バネ（５５）底部で多数ドリル針（４０）の各種異なる高度の頚部（４２）を弾性的に抑えられるようにしている。
【００１８】
図９及び図１０に示すパネル（７０）の構造は、２つの相対する活動積重ね上下板体（７１）、（７２）のための設計で、当該上下板体（７１）、（７２）には同様に多数の配列通し穴（７３）及び四方のガイド（７４）が設置されている。そして、図１１、図１２及び図１３に示すパネル（７０）の組合せ設計では、当該上下板体（７１）、（７２）に上下に相対する多数固定穴（７６）及びネジ穴（７７）が設置され、多数のバネ（７９）が当該上下板体（７１）、（７２）の相対する凹穴（７８）の間に位置づけられ、多数の調整ネジ（７５）は上板体（７１）の固定穴（７６）から当該下板体（７２）のネジ穴（７７）に下に向かって締められ、当該上下板体（７１）、（７２）の相互間隔距離を調整して、上板体（７１）の表面をドリル針（４０）のドリル尖端（４１）高度位置に配している。
【００１９】
本考案のパネル（５０）の頂面（５１）高度及びその通し穴（５３）はドリル針（４０）のドリル尖端（４１）に配して、背景面並びに反射光線とし、ドリル尖端検査映像を更にはっきり精確にしている。
【図面の簡単な説明】
【００２０】
【図１】本考案の好ましい実施例の立体図である。
【図２】図１のパネルを開いた立体図である。
【図３】図１の水平台座並びに転送台座の立体分解図である。
【図４】図１の局部断面の拡大図である。
【図５】図４の局部拡大図である。
【図６】図５のパネルがドリル尖端より低いことを示す図である。
【図７】図５のパネルがドリル尖端より高いことを示す図である。
【図８】図５のパネルにバネ取付けを示す図である。
【図９】本考案の別の実施例を示す立体図である。
【図１０】図９の局部拡大図である。
【図１１】本考案の更に別の実施例を示す図である。
【図１２】図１１の局部拡大図である。
【図１３】図１１のパネル上下板体の立体分解図である。
【図１４】本考案のドリル針ドリル尖端検査のイメージ図である。
【符号の説明】
【００２１】
１０  水平台座
１１  ガイド柱
１２  調整ネジ
１３  固定穴
１４  凹穴
２０  材料台座
２１  ガイド
２２  ガイド穴
２３  凹型材料入れエリア
２４  溝口
３０  材料ボックス
３１  穴
４０  ドリル針
４１  ドリル尖端
４２  頚部
５０  パネル
５１  頂面
５２  ガイド穴
５３  通し穴
５４  拡大階段穴
５５  バネ
６０  転送台座
６１  固定穴
６２  固定ネジ
６３  ネジ穴
６４  凹穴
６５  バネ
７０  パネル
７１  上板体
７２  下板体
７３  通し穴
７４  ガイド
７５  調整ネジ
７６  固定穴
７７  ネジ穴
７８  凹穴
７９  バネ
【図１】
0003134540.tif 000003
【図２】
0003134540.tif 000004
【図３】
0003134540.tif 000005
【図４】
0003134540.tif 000006
【図５】
0003134540.tif 000007
【図６】
0003134540.tif 000008
【図７】
0003134540.tif 000009
【図８】
0003134540.tif 000010
【図９】
0003134540.tif 000011
【図１０】
0003134540.tif 000012
【図１１】
0003134540.tif 000013
【図１２】
0003134540.tif 000014
【図１３】
0003134540.tif 000015
【図１４】
0003134540.tif 000016